(57)【要約】【課題】近距離通信で通信相手に送信したデータに変更があった場合に、適切な通信相手に対して、そのデータの変更情報を容易に送信できるようにする。【解決手段】通信相手と近距離通信を行う第１の通信手段１０と、通信相手と基地局を介した通信を行う第２の通信手段２０と、データを記憶する第１のデータ記憶手段１２と、を有する通信端末装置１において、第１のデータ記憶手段１２が記憶しているデータを第１の通信手段１０で送信した通信相手を送信履歴として記憶し、第１のデータ記憶手段１２が記憶しているデータに変更があった場合に、第１の通信履歴記憶手段１２３が送信履歴として記憶している通信相手を、当該データの変更情報を送信する送信相手として特定し、特定した送信相手に対し、当該データの変更情報を第２の通信手段２０で送信するようにする。【選択図】図２Ａ
2008306626.tif 000002
【特許請求の範囲】
【請求項１】
通信相手と近距離通信を行う第１の通信手段と、
通信相手と基地局を介した通信を行う第２の通信手段と、
を備える通信端末装置であって、
データを記憶する第１のデータ記憶手段と、
前記第１のデータ記憶手段に記憶されているデータを前記第１の通信手段で送信した通信相手を、送信履歴として記憶する第１の通信履歴記憶手段と、
前記第１のデータ記憶手段に記憶されているデータに変更があった場合に、前記第１の通信履歴記憶手段に送信履歴として記憶されている通信相手を、当該データの変更情報を送信する送信相手として特定する特定手段と、
前記特定手段で特定された送信相手に対して、当該データの変更情報を前記第２の通信手段で送信する送信手段と、
を備えることを特徴とする通信端末装置。
【請求項２】
請求項１に記載の通信端末装置であって、
前記第１の通信履歴記憶手段は、前記第１の通信手段で前記データを送信した通信相手と対応付けて通信時刻情報を記憶し、
前記特定手段は、前記第１の通信履歴記憶手段に送信履歴として記憶されている通信相手のうち、所定期間内に送信した通信相手を送信相手として特定すること
を特徴とする通信端末装置。
【請求項３】
請求項１に記載の通信端末装置であって、
前記第１の通信履歴記憶手段は、前記第１の通信手段で前記データを受信した通信相手を受信履歴として記憶し、
前記特定手段は、前記第１の通信履歴記憶手段に送信履歴として記憶されている通信相手のうち、前記受信履歴として記憶されている通信相手を送信相手として特定すること
を特徴とする通信端末装置。
【請求項４】
請求項１に記載の通信端末装置であって、
前記第１の通信履歴記憶手段は、前記第１の通信手段で送信した通信相手と対応付けて送信した前記データを識別する識別情報を記憶し、
前記特定手段は、前記第１の通信履歴記憶手段に送信履歴として記憶されている通信相手のうち、変更されたデータを示す識別情報と対応付けて記憶されている通信相手を送信相手として特定すること
を特徴とする通信端末装置。
【請求項５】
請求項１に記載の通信端末装置であって、
前記第２の通信手段で通信した通信相手を通信履歴として記憶する第２の通信履歴記憶手段をさらに備え、
前記特定手段は、前記第１の通信履歴記憶手段に送信履歴として記憶されている通信相手のうち、前記第２の通信履歴記憶手段に通信履歴として記憶されている通信相手を送信相手として特定すること
を特徴とする通信端末装置。
【請求項６】
請求項５に記載の通信端末装置であって、
前記第２の通信履歴記憶手段は、通信相手と対応づけて当該通信相手との前記第２の通信手段による通信量を示す情報を記憶し、
前記特定手段は、前記第１の通信履歴記憶手段に送信履歴として記憶されている通信相手のうちから、前記第２の通信履歴記憶手段に記憶されている通信相手の通信量を示す情報に基づいて、送信相手を特定すること
を特徴とする通信端末装置。
【請求項７】
請求項１に記載の通信端末装置であって、
通信相手のデータを、当該データが前記第１の通信手段で受信したデータか否かを示す識別情報と対応付けて記憶する第２のデータ記憶手段をさらに備え、
前記特定手段は、前記第１の通信履歴記憶手段に送信履歴として記憶されている通信相手のうち、前記第１の通信手段で受信したデータであることを示す識別情報と対応づけて前記第２のデータ記憶手段に記憶されているデータの通信相手を送信相手として特定すること
を特徴とする通信端末装置。
【請求項８】
通信相手と近距離通信を行う第１の通信手段と、
通信相手と基地局を介した通信を行う第２の通信手段と、
を備える通信端末装置のプログラムであって、
コンピュータに、
データ記憶手段に記憶されているデータを前記第１の通信手段で送信した通信相手を、送信履歴として記憶する機能と、
前記データに変更があった場合に、前記送信履歴として記憶されている通信相手を、当該データの変更情報を送信する送信相手として特定する機能と、
前記特定された送信相手に対して、当該データの変更情報を前記第２の通信手段で送信する機能と、
を実現させるためのプログラム。
【発明の詳細な説明】
【技術分野】
【０００１】
本発明は、通信端末装置、及びプログラムに関し、通信相手に送信したデータに変更があった場合にそのデータの変更情報を送信する技術に関する。
【背景技術】
【０００２】
特許文献１には、個人の名刺情報を携帯電話端末に記憶しておき、微弱電波或いは赤外線通信等の無線方式を利用し、携帯電話端末間で名刺情報を送受信することが開示されている。
【特許文献１】特開２００１−１１７８８３号公報
【発明の開示】
【発明が解決しようとする課題】
【０００３】
ところで、近距離通信で名刺交換（お互いのプロフィールデータの交換）を行った場合には、しばらく時間が経過した後、自らのプロフィールデータに変更が入ってしまうことがある。このような場合、以前自らのプロフィールデータを送信した相手が未だに近距離通信を行える場所（範囲）に存在することは非常に稀であり、自らのプロフィールデータに変更があったことを相手に伝えるのは困難である。また多くの相手に対してプロフィールデータを送信している場合には、誰に送信したのかを忘れてしまい、変更があったことを誰に伝えれば良いか分からなくなってしまうことがある。
本発明は、このような事情に鑑みてなされたもので、近距離通信で通信相手に送信したデータに変更があった場合に、適切な通信相手に対して、そのデータの変更情報を容易に送信することができる通信端末装置、及びプログラムを提供することを目的とする。
【課題を解決するための手段】
【０００４】
本発明のうち請求項１に記載の発明は、通信相手と近距離通信を行う第１の通信手段と、通信相手と基地局を介した通信を行う第２の通信手段と、を備える通信端末装置であって、データを記憶する第１のデータ記憶手段と、前記第１のデータ記憶手段に記憶されているデータを前記第１の通信手段で送信した通信相手を、送信履歴として記憶する第１の通信履歴記憶手段と、前記第１のデータ記憶手段に記憶されているデータに変更があった場合に、前記第１の通信履歴記憶手段に送信履歴として記憶されている通信相手を、当該データの変更情報を送信する送信相手として特定する特定手段と、前記特定手段で特定された送信相手に対して、当該データの変更情報を前記第２の通信手段で送信する送信手段と、を備える。
【０００５】
本発明のうち請求項２に記載の発明は、請求項１に記載の通信端末装置であって、前記第１の通信履歴記憶手段は、前記第１の通信手段で前記データを送信した通信相手と対応付けて通信時刻情報を記憶し、前記特定手段は、前記第１の通信履歴記憶手段に送信履歴として記憶されている通信相手のうち、所定期間内に送信した通信相手を送信相手として特定する。
【０００６】
本発明のうち請求項３に記載の発明は、請求項１に記載の通信端末装置であって、前記第１の通信履歴記憶手段は、前記第１の通信手段で前記データを受信した通信相手を受信履歴として記憶し、前記特定手段は、前記第１の通信履歴記憶手段に前記送信履歴として記憶されている通信相手のうち、前記受信履歴として記憶されている通信相手を送信相手として特定する。
【０００７】
本発明のうち請求項４に記載の発明は、請求項１に記載の通信端末装置であって、前記第１の通信履歴記憶手段は、前記第１の通信手段で送信した通信相手と対応付けて送信した前記データを識別する識別情報を記憶し、前記特定手段は、前記第１の通信履歴記憶手段に送信履歴として記憶されている通信相手のうち、変更されたデータを示す識別情報と対応付けて記憶されている通信相手を送信相手として特定する。
【０００８】
本発明のうち請求項５に記載の発明は、請求項１に記載の通信端末装置であって、前記第２の通信手段で通信した通信相手を通信履歴として記憶する第２の通信履歴記憶手段をさらに備え、前記特定手段は、前記第１の通信履歴記憶手段に送信履歴として記憶されている通信相手のうち、前記第２の通信履歴記憶手段に通信履歴として記憶されている通信相手を送信相手として特定する。
【０００９】
本発明のうち請求項６に記載の発明は、請求項５に記載の通信端末装置であって、前記第２の通信履歴記憶手段は、通信相手と対応づけて当該通信相手との前記第２の通信手段による通信量を示す情報を記憶し、前記特定手段は、前記第１の通信履歴記憶手段に送信履歴として記憶されている通信相手のうちから、前記第２の通信履歴記憶手段に記憶されている通信相手の通信量を示す情報に基づいて、送信相手を特定する。
【００１０】
本発明のうち請求項７に記載の発明は、請求項１に記載の通信端末装置であって、通信相手のデータを、当該データが前記第１の通信手段で受信したデータか否かを示す識別情報と対応付けて記憶する第２のデータ記憶手段をさらに備え、前記特定手段は、前記第１の通信履歴記憶手段に送信履歴として記憶されている通信相手のうち、前記第１の通信手段で受信したデータであることを示す識別情報と対応づけて前記第２のデータ記憶手段に記憶されているデータの通信相手を送信相手として特定する。
【００１１】
本発明のうち請求項７に記載の発明は、通信相手と近距離通信を行う第１の通信手段と、通信相手と基地局を介した通信を行う第２の通信手段と、を備える通信端末装置のプログラムであって、コンピュータに、データ記憶手段に記憶されているデータを前記第１の通信手段で送信した通信相手を、送信履歴として記憶する機能と、前記データに変更があった場合に、前記送信履歴として記憶されている通信相手を、当該データの変更情報を送信する送信相手として特定する機能と、前記特定された送信相手に対して、当該データの変更情報を前記第２の通信手段で送信する機能と、を実現させる。
【発明の効果】
【００１２】
本発明によれば、近距離通信で通信相手に送信したデータに変更があった場合に、適切な通信相手に対して、そのデータの変更情報を容易に送信することができる。
【発明を実施するための最良の形態】
【００１３】
（１）まず第１実施形態について説明する。
（１−１）システム構成例
図１は第１実施形態として説明するシステムの構成図である。同図に示す携帯電話機１（通信端末装置）は、赤外線通信を利用した近距離を対象とした通信手段である第１の通信手段１０で他の携帯電話機１と通信する。また交換機３を介して移動体通信網４に接続される基地局５と通信することにより行われる音声通話、電子メール、インターネット通信等を実現する第２の通信手段２０で通信する。
【００１４】
なお、通信端末装置は必ずしも携帯電話機に限られない。例えば、携帯情報端末（Personal Digital Assistant）、ノート型又はデスクトップ型のパーソナルコンピュータ等、通信手段を備える情報処理装置（コンピュータ）であってもよい。また第１の通信手段１０は、赤外線通信以外の、例えばブルートゥース（Bluetooth）（登録商標）、非接触ＩＣカード、無線ＬＡＮ、通信ケーブル（ＵＳＢやＲＳ−２３２Ｃ等）を介した有線通信等であってもよい。さらに第２の通信手段２０は、基地局５を介した通信であればよく、基地局（不図示）を介して行われる無線ＬＡＮ等であってもよい。
【００１５】
図２Ａに携帯電話機１のブロック図を示している。携帯電話機１は、中央制御部１１、ＲＡＭ１２（Random Access Memory）、ＲＯＭ１３（Read Only Memory）、第１の通信部１４、第２の通信部１５、音声信号処理部１６、表示部１７、操作部１８、ＲＴＣ１９（Real Time Clock）等を有している。
【００１６】
中央制御部１１は、ＣＰＵ（Central Processing Unit)やＭＰＵ（Micro Processing Unit）等を用いて構成されている。中央制御部１１は、ＲＡＭ１２又はＲＯＭ１３に記憶されているプログラムやデータに基づいて、携帯電話機１の統括的な制御を行うとともに、携帯電話機１が提供する各種の機能を実現する。
【００１７】
ＲＡＭ１２には、プロフィールデータが記憶されるプロフィールデータ記憶部１２１、アドレス帳データが記憶されるアドレス帳データ記憶部１２２、第１の通信手段１０で行われた通信の履歴（以下、第１の通信履歴と称する。）を記憶する第１の通信履歴記憶部１２３、第２の通信手段２０で行われた通信の履歴（以下、第２の通信履歴と称する。）を記憶する第２の通信履歴記憶部１２４、後述する特定条件を記憶する特定条件記憶部１２５が含まれる。ＲＯＭ１３にはプログラムやデータが記憶されている。
【００１８】
第１の通信部１４は、第１の通信手段１０で通信を行う通信インタフェースである。第２の通信部１５は、第２の通信手段２０で通信を行うための通信インタフェースである。音声信号処理部１６は、マイクロフォンに入力されるアナログ音声信号をデジタル信号に変換して中央制御部１１に伝え、また音声処理部１６は、中央制御部１１等から出力されるデジタル音声信号をアナログ音声信号に変換してスピーカに出力する。
【００１９】
表示部１７は、液晶パネル、有機ＥＬパネル、ブラウン管モニタ等の、情報を視覚的に出力する装置である。操作部１８は、操作ボタン、タッチパネル、操作ダイヤル、キーボード、及びマウス等の、ユーザの操作入力を電気信号に変換して中央制御部１１に伝える装置である。ＲＴＣ（Real Time Clock）１９は、日付や時刻等の現在の時刻情報を出力するクロックである。
【００２０】
図３はプロフィールデータ記憶部１２１が記憶するプロフィールデータの一例である。プロフィールデータ３００は、名前が設定される名前３１１、電話番号が設定される電話番号３１２、メールアドレスが設定されるメールアドレス３１３、自宅住所が設定される自宅住所３１４、及び、勤務先名が設定される勤務先名３１５の各フィールドを有している。
【００２１】
図４はアドレス帳データ記憶部１２２に記憶されるアドレス帳データの一例である。アドレス帳データ４００は、各レコードを識別する識別子が設定されるアドレス帳ＩＤ４１１、名前が設定される名前４１２、電話番号が設定される電話番号４１３、メールアドレスが設定されるメールアドレス４１４、自宅住所が設定される自宅住所４１５、趣味が設定される趣味４１６、受信フラグが設定される受信フラグ４１７の各フィールドを有している。このうちの受信フラグ４１７には、第１の通信手段１０によって受信しアドレス帳データ記憶部１２２に記憶されたデータであれば「１」が設定され、それ以外の方法（ユーザの操作により入力され記憶された場合、外部記憶媒体から取得して記憶された場合、インターネットを介してダウンロードして記憶された場合等）でアドレス帳データ記憶部１２２に記憶されたデータであれば「０」が設定される。
【００２２】
図５は第１の通信履歴記憶部１２３が記憶する第１の通信履歴の一例である。第１の通信履歴５００は、当該第１の通信履歴５００を構成する各レコードを識別する識別子が設定されるＩＤ５１１、通信が行われた日時（開始日時又は終了日時）が設定される日時５１２、その通信が送信又は受信のいずれであるかを示す情報が設定される通信種別５１３、通信相手の名前が設定される名前５１４、通信相手の電話番号が設定される電話番号５１５、通信相手のメールアドレスが設定されるメールアドレス５１６、及び、アドレス帳ＩＤ４１１が設定されるアドレス帳ＩＤ５１７の各フィールドを有している。このうちのアドレス帳ＩＤ５１７には、第１の通信手段１０で受信したデータをアドレス帳データ４００に登録した際、そのデータに付与されたアドレス帳ＩＤが設定される。
【００２３】
図６は第２の通信履歴記憶部１２４が記憶する第２の通信履歴の一例である。第２の通信履歴６００は、当該第２の通信履歴６００を構成する各レコードを識別する識別子が設定されるＩＤ６１１、通信日時（開始日時又は終了日時）が設定される通信日時６１２、その通信が送信又は受信のいずれであるかを示す情報が設定される通信種別６１３、通信（通話）相手の名前が設定される名前６１４、通信相手の電話番号が設定される電話番号６１５、通話回数の累計が設定される通話回数６１６、及び、通話時間の累計が設定される通話時間６１７の各フィールドを有している。なお、ＲＡＭ１２の有効利用を図るべく、図６２の通信履歴６００では、通信相手が同じ場合は最新の通話回数６１６と通話時間６１７のフィールドだけが生成されるようにしている（最新以外の通話回数と通話時間のフィールドは、消去される）。
また、通話回数６１６と通話時間６１７に限らず、メールを送受信した回数を示すメール回数などであってもよく、通信量に関する情報であればよい。
【００２４】
図７は特定条件記憶部１２５が記憶する特定条件の一例である。特定条件７００は、特定条件７００を構成している各レコードを識別する識別子が設定されるＩＤ７１１、「０」又は「１」が設定される設定フラグ７１２、条件の名称が設定される名称７１３、及び、条件の内容が設定される内容７１４の各フィールドを有している。このうち、設定フラグ７１２は、現在有効な特定条件か否かを示すもので、それが「１」であれば、現在有効な条件であることを示し、「０」であれば、現在無効な条件であることを示している。
【００２５】
（１−２）動作例
図８は、第１実施形態の携帯電話機１において行われる処理を説明するフローチャートである。携帯電話機１は、主電源がオフされている低消費電力モードにおいて、電源オン操作が行われたか否かを監視している（Ｓ８１１）。携帯電話機１は、電源オン操作がされたことを検知すると（Ｓ８１１：ＹＥＳ）、主電源をオンして、移動体通信網４と接続するための位置登録等の待受処理を開始する（Ｓ８１２）。
【００２６】
待受処理後、携帯電話機１は、ユーザが操作部１８に対して何らかの操作を行ったか否かを監視する。この監視において、携帯電話機１は、特定条件に関する設定操作が行われたことを検知すると（Ｓ８１３：ＹＥＳ）、操作に応じて特定条件の設定処理（有効に設定された条件の設定フラグ７１２を「１」にし、それ以外の条件の設定フラグ７１２を「０」にする）を行う（Ｓ８１４）。その後はＳ８１３に戻る。
【００２７】
携帯電話機１は、プロフィールデータ３００の新規登録操作が行われたことを検知すると（Ｓ８１５：ＹＥＳ）、プロフィールデータ３００の入力を受け付けて（Ｓ８１６）、受け付けたプロフィールデータ３００を、プロフィールデータ記憶部１２１に記憶する（Ｓ８１７）。その後はＳ８１３に戻る。
【００２８】
携帯電話機１は、アドレス帳データ４００の登録操作が行われたことを検知すると（Ｓ８１８：ＹＥＳ）、アドレス帳データ４００の入力を受け付けて（Ｓ８１９）、受け付けたアドレス帳データ４００を、アドレス帳データ記憶部１２２に記憶し（Ｓ８２０）、アドレス帳データ４００の受信フラグ４１７に「０」を設定する（Ｓ８２１）。その後はＳ８１３に戻る。
【００２９】
携帯電話機１は、第２の通信手段２０からの着信を検知すると（Ｓ８２２：ＹＥＳ）、第２の通信手段２０で通話処理を開始する（Ｓ８２３）。そして携帯電話機１は、この通話処理に対応する第２の通信履歴を第２の通信履歴記憶部１２４に記憶する（Ｓ８２４）。なお、既に同じ通信相手のレコードを第２の通信履歴記憶部１２４が記憶している場合、携帯電話機１はそのレコードの内容を最新の内容に更新する（通話回数６１６、通話時間６１７については、最新レコードのその内容を更新し旧レコードの内容を消去する）。Ｓ８２４の後はＳ８１３に戻る。
【００３０】
携帯電話機１は、発信操作が行われたことを検知すると（Ｓ８２５：ＹＥＳ）、上述のＳ８２３及びＳ８２４の処理を行い、その後はＳ８１３に戻る。
【００３１】
携帯電話機１は、プロフィールデータ３００の送信操作が行われたことを検知すると（Ｓ８２６：ＹＥＳ）、後述するプロフィールデータ３００の送信処理を実行する（Ｓ８２７）。その後はＳ８１３に戻る。
【００３２】
携帯電話機１は、プロフィールデータ３００の変更操作が行われたことを検知すると（Ｓ８２８：ＹＥＳ）、後述するプロフィールデータ３００の変更処理を実行する（Ｓ８２９）。その後はＳ８１３に戻る。
【００３３】
また携帯電話機１は、電源オフ操作が行われたことを検知すると（Ｓ８３０：ＹＥＳ）、主電源をオフし（Ｓ８３１）、低消費電力モードに移行する。
【００３４】
携帯電話機１は、以上に説明した以外の他の操作が行われた場合（Ｓ８３２：ＹＥＳ）、その操作に対応した処理を実行する（Ｓ８３３）。その後はＳ８１３に戻る。
【００３５】
図９はプロフィールデータ３００の送信処理（Ｓ８２７）を説明するフローチャートである。まず携帯電話機１は、送信対象となるプロフィールデータ３００をプロフィールデータ記憶部１２１から読み出す（Ｓ９１１）。次に携帯電話機１は、通信相手の携帯電話機１から、第１の通信手段１０により情報を取得する（Ｓ９１２）。ここで上記情報は、例えば通信相手の名前、電話番号、メールアドレス等である。
【００３６】
次に携帯電話機１は、読み出したプロフィールデータ３００を第１の通信手段１０により通信相手の携帯電話機１に送信する（Ｓ９１３）。また携帯電話機１は、その通信の履歴（第１の通信履歴。日時５１２、通信種別５１３、名前５１４、電話番号５１５、メールアドレス５１６）を第１の通信履歴記憶部１２３に記憶する（Ｓ９１４）。
【００３７】
携帯電話機１は、第１の通信手段１０を介して通信相手のプロフィールデータ３００を受信した場合（Ｓ９１５：ＹＥＳ）、受信したプロフィールデータ３００をアドレス帳データ４００としてアドレス帳データ記憶部１２２に記憶する（Ｓ９１６）。そしてこの際の通信の履歴（第１の通信履歴。日時５１２、通信種別５１３、名前５１４、電話番号５１５、メールアドレス５１６、アドレス帳ＩＤ５１７）を第１の通信履歴記憶部１２３に記憶する（Ｓ９１７）。なお、所定時間が経過しても通信相手のプロフィールデータ３００を受信できない場合には（Ｓ９１８：ＹＥＳ）、図８のＳ８１３に戻る。
【００３８】
図１０はプロフィールデータ３００の変更処理（Ｓ８２９）を説明するフローチャートである。携帯電話機１は、まずプロフィールデータ３００の変更操作を受け付け（Ｓ１０１１）、受け付けた入力内容に基づきプロフィールデータ記憶部１２１が記憶しているプロフィールデータ３００の内容を更新する（Ｓ１０１２）。
【００３９】
次に携帯電話機１は、特定条件記憶部１２５が記憶している特定条件７００のうち、設定フラグ７１２に「１」が設定されているものを読み出す（Ｓ１０１３）。そして携帯電話機１は、読み出した特定条件７００の名称７１３に「送信した相手」が設定されているか否かを判断する（Ｓ１０１４）。名称７１３に「送信した相手」が設定されている場合には（Ｓ１０１４：ＹＥＳ）、Ｓ１０１５に進む。設定されていなければ（Ｓ１０１４：ＮＯ）、Ｓ１０１９に進む。
【００４０】
Ｓ１０１５では、携帯電話機１は、第１の通信履歴５００から、通信種別５１３に「送信」が設定されている通信相手を抽出する（Ｓ１０１５）。次に携帯電話機１は、第１の通信履歴５００の日時５１２のフィールドを参照し、抽出した通信相手のうち、現在から６ヶ月以内に通信を行っているものを更に抽出する（ここで抽出した通信相手が送信相手として特定される）（Ｓ１０１６）。その後はＳ１０１７に進む。
【００４１】
Ｓ１０１９において、携帯電話機１は、Ｓ１０１３で読み出した特定条件の名称７１３に「送信＆受信した相手」が設定されているか否かを判断する。「送信＆受信した相手」が設定されている場合には（Ｓ１０１９：ＹＥＳ）、Ｓ１０２０に進む。設定されていなければ（Ｓ１０１９：ＮＯ）、Ｓ１０２２に進む。
【００４２】
Ｓ１０２０において、携帯電話機１は、第１の通信履歴５００から、通信種別５１３が「送信」になっているレコードと、「受信」になっているレコードの双方を含む通信相手を抽出する。そして携帯電話機１は、第１の通信履歴５００の日時５１２のフィールドを参照し、抽出した通信相手のうち、現在から６ヶ月以内に通信を行っているものを抽出する（ここで抽出した通信相手が送信相手として特定される）（Ｓ１０２１）。その後はＳ１０１７に進む。
【００４３】
Ｓ１０２２において、携帯電話機１は、Ｓ１０１３で読み出した特定条件の名称７１３に「通話が多い相手」が設定されているか否かを判断する。「通話が多い相手」が設定されている場合には（Ｓ１０２２：ＹＥＳ）、Ｓ１０２３に進む。設定されていなければ、すなわち「アドレス帳に受信記憶した相手」が設定されている場合には（Ｓ１０２２：ＮＯ）、Ｓ１０２５に進む。
【００４４】
Ｓ１０２３において、携帯電話機１は、第１の通信履歴５００から、通信種別５１３に「送信」が設定されている通信相手を抽出する。そして携帯電話機１は、抽出した通信相手のうち、第２の通信履歴６００を参照し、通話回数の累計が５回以上であり、かつ、通話時間の累計が１０分以上であるものを抽出する（ここで抽出した通信相手が送信相手として特定される）（Ｓ１０２４）。その後はＳ１０１７に進む。
【００４５】
Ｓ１０２５において、携帯電話機１は、第１の通信履歴５００から、通信種別５１３が「送信」になっている通信相手を抽出する。次に携帯電話機１は、アドレス帳データ４００を参照し、抽出した通信相手のうち受信フラグ４１７に「１」が設定されているものを抽出する（ここで抽出した通信相手が送信相手として特定される）（Ｓ１０２６）。その後はＳ１０１７に進む。
【００４６】
Ｓ１０１７では、携帯電話機１は、以上の処理によって抽出された通信相手（送信相手として特定した通信相手）の情報（例えばメールアドレス）を読み出す。次に携帯電話機１は、抽出された通信相手に対し、Ｓ１０１１及びＳ１０１２で変更されたプロフィールデータ３００の変更情報（変更後のプロフィールデータ３００の全部、又は変更差分）を、第２の通信手段２０で送信する（Ｓ１０１８）。なお、ここで送信されるプロフィールデータ３００は、メールアドレスを利用した電子メールとして送信してもよいし、通信相手の電話番号を利用してショートメッセージとして送信してもよい。さらには、予め変更通知用に規定されたフォーマットを用いて第２の通信手段２０で送信してもよい。また電子メールとして送信する場合、プロフィールデータ３００は、添付データとして送信してもよいし、メール本文中に記述してもよい。
【００４７】
（２）次に第２実施形態について説明する。
（２−１）システム構成例
第２実施形態のシステム構成は、図１に示した第１実施形態のシステム構成と同様である。図２Ｂは第２実施形態の携帯電話機１のブロック図である。同図に示すように、第２実施形態の携帯電話機１の基本的な構成は第１実施形態の携帯電話機１と共通するが、第２実施形態の携帯電話機１のＲＡＭ１２には、スケジュールデータを記憶するスケジュールデータ記憶部１２６が設けられている。
【００４８】
図１１にスケジュールデータ記憶部１２６が記憶するスケジュールデータの一例を示している。同図に示すスケジュールデータ１１００は、当該スケジュールデータ１１００を構成している各レコードを識別する識別子が設定されるスケジュールＩＤ１１１１、日時が設定される日時１１１２、及びスケジュールの内容が設定される内容１１１３の各フィールドを有している。
【００４９】
また第２実施形態の携帯電話機１の第１の通信履歴記憶部１２３には、図１２に例示する内容の第１の通信履歴５５０が記憶される。同図に示す第１の通信履歴５５０は、当該通信履歴を５５０を構成している各レコードを識別する識別子が設定されるＩＤ５５１、通信日時（開始日時又は終了日時）が設定される通信日時５５２、その通信が送信又は受信のいずれであるかを示す情報が設定される通信種別５５３、通信（通話）相手の名前が設定される名前５５４、通信相手の電話番号が設定される電話番号５５５、通信相手のメールアドレスが設定されるメールアドレス５５８、及び、スケジュールデータ１１００のスケジュールＩＤ１１１１が設定されるスケジュールＩＤ５５９の各フィールドを有している。このうちのスケジュールＩＤ５５９には、第１の通信手段１０でスケジュールデータ１１００を送信した際、そのデータに付与されたスケジュールＩＤが設定される
【００５０】
（２−２）動作例
図１３は、携帯電話機１において行われる処理を説明するフローチャートである。携帯電話機１は、主電源がオフされている低消費電力モードにおいて、電源オン操作が行われたか否かを監視している（Ｓ１３１１）。携帯電話機１は、電源オン操作がされたことを検知すると（Ｓ１３１１：ＹＥＳ）、主電源をオンして、移動体通信網４と接続するための位置登録等の待受処理を開始する（Ｓ１３１２）。
【００５１】
待受処理後、携帯電話機１は、スケジュールデータ１１００の新規登録操作が行われたことを検知すると（Ｓ１３１３：ＹＥＳ）、スケジュールデータ１１００の入力を受け付ける（Ｓ１３１４）。そして携帯電話機１は、受け付けたスケジュールデータ１１００を、スケジュールデータ記憶部１２６に記憶する（Ｓ１３１５）。その後はＳ１３１３に戻る。
【００５２】
携帯電話機１は、スケジュールデータ１１００の送信操作が行われたことを検知すると（Ｓ１３１６：ＹＥＳ）、後述するスケジュールデータ１１００の送信処理を実行する（Ｓ１３１７）。その後はＳ１３１３に戻る。
【００５３】
携帯電話機１は、スケジュールデータ１１００の変更操作が行われたことを検知すると（Ｓ１３１８：ＹＥＳ）、後述するスケジュールデータの変更処理を実行する（Ｓ１３１９）。その後はＳ１３１３に戻る。
【００５４】
携帯電話機１は、第２の通信手段２０からの着信を検知すると（Ｓ１３２０：ＹＥＳ）、第２の通信手段２０で通話処理を開始する（Ｓ１３２１）。その後はＳ１３１３に戻る。
【００５５】
携帯電話機１は、電源オフ操作が行われたことを検知すると（Ｓ１３２２：ＹＥＳ）、主電源をオフし（Ｓ１３２３）、低消費電力モードに移行する。
【００５６】
以上に説明した以外の他の操作が行われた場合には（Ｓ１３２４：ＹＥＳ）、携帯電話機１はその操作に対応した処理を実行する（Ｓ１３２５）。その後はＳ１３１３に戻る。
【００５７】
図１４はスケジュールデータ１１００の送信処理（Ｓ１３１７）を説明するフローチャートである。まず携帯電話機１は、送信対象となるスケジュールデータ１１００を、スケジュールデータ記憶部から読み出す（Ｓ１４１１）。次に携帯電話機１は、通信相手の携帯電話機１から、第１の通信手段１０により情報を取得する（Ｓ１４１２）。ここで上記情報は、例えば通信相手の名前、電話番号、メールアドレス等である。
【００５８】
次に携帯電話機１は、読み出したスケジュールデータ１１００を、第１の通信手段１０で通信相手の携帯電話機１に送信する（Ｓ１４１３）。また携帯電話機１は、その際の通信の履歴（第１の通信履歴。日時５５２、通信種別５５３、名前５５４、電話番号５５５、メールアドレス５５８、スケジュールＩＤ５５９）を、第１の通信履歴記憶部１２３に記憶する（Ｓ１４１４）。
【００５９】
図１５はスケジュールデータ１１００の変更処理（Ｓ１３１９）を説明するフローチャートである。携帯電話機１は、スケジュールデータ１１００の変更の操作を受け付け（Ｓ１５１１）、受け付けた入力内容に基づきスケジュールデータ記憶部１２６が記憶しているスケジュールデータ１１００の内容を更新する（Ｓ１５１２）。
【００６０】
次に携帯電話機１は、第１の通信履歴５５０を参照し、スケジュールデータ１１００を変更する前のスケジュールデータ１１００を送信した通信相手を抽出する（Ｓ１５１３）。より具体的には、変更されたスケジュールデータ１１００のスケジュールＩＤ１１１１を読み出し、そのスケジュールＩＤ１１１１と同じスケジュールＩＤ５５９が記憶されている第１の通信履歴５５０の通信相手を抽出する。さらに携帯電話機１は、抽出した通信相手の情報（例えばメールアドレス）を第１の通信履歴５５０から読み出し（Ｓ１５１４）、Ｓ１５１１及びＳ１５１２で変更されたスケジュールデータ１１００の変更情報（変更後のスケジュールデータの全部、又は変更差分）を、第２の通信手段２０により、抽出した通信相手に送信する（Ｓ１５１５）。
【００６１】
なお、ここで送信されるスケジュールデータ１１００は、読み出した上記メールアドレスを利用した電子メールとして送信してもよいし、通信相手の電話番号を利用してショートメッセージとして送信してもよい。さらには、予め変更通知用に規定されたフォーマットを用いて第２の通信手段２０で送信してもよい。また電子メールとして送信する場合、スケジュールデータ１１００は、添付データとして送信してもよいし、メール本文中に記述してもよい。
【００６２】
以上の実施形態では、通信端末装置間で交換されるデータとして、プロフィールデータ３００、アドレス帳データ４００、スケジュールデータ１１００等を示したが、通信端末装置間で交換されるデータは、これらに限られる訳ではなく、画像データや映像データ等であってもよい。第２の通信履歴６００は、基地局５を介して行われる通信に関する履歴であれば良く、例えば、電子メールの通信履歴等であってもよい。
【００６３】
以上に説明した仕組みよれば、第１の通信手段１０（近距離通信）で通信相手に送信したデータに変更があった場合に、適切な通信相手に対して、そのデータの変更情報を容易に送信することができる。
【００６４】
また所定期間内にデータを送信した通信相手を自分にとって重要な通信相手と判断し、その重要な通信相手に対して、データの変更情報を送信することができる。
【００６５】
データ交換を行った通信相手を、自分にとって重要な通信相手と判断して、その重要な通信相手に対して、データの変更情報を送信することができる。
【００６６】
変更されたデータの元データを送信した通信相手に対して、そのデータの変更情報を送信することができ、それ以外のデータを送信した通信相手を除外することができる。
【００６７】
基地局５を介した通信を行ったことがある通信相手を自分にとって重要な通信相手と判断して、その重要な通信相手に対して、データの変更情報を送信することができる。
【００６８】
基地局５を介した通信の通信量に基づいて重要な通信相手か否かを判断することで、適切な通信相手を重要な通信相手と判断することができる。
【００６９】
近距離通信でデータを受信した通信相手を自分にとって重要な通信相手と判断して、その重要な通信相手に対して、データの変更情報を送信することができる。
【図面の簡単な説明】
【００７０】
【図１】第１実施形態として説明するシステムの構成図である。
【図２Ａ】第１実施形態として説明する携帯電話機１のブロック図である。
【図２Ｂ】第２実施形態として説明する携帯電話機１のブロック図である。
【図３】第１実施形態として説明するプロフィールデータ３００の一例である。
【図４】第１実施形態として説明するアドレス帳データ４００の一例である。
【図５】第１実施形態として説明する第１の通信履歴５００の一例である。
【図６】第１実施形態として説明する第２の通信履歴６００の一例である。
【図７】第１実施形態として説明する特定条件７００の一例である。
【図８】第１実施形態として説明する携帯電話機１において行われる処理を説明するフローチャートである。
【図９】第１実施形態として説明するプロフィールデータの送信処理（Ｓ８２７）を説明するフローチャートである。
【図１０】第１実施形態として説明するプロフィールデータの変更処理（Ｓ８２９）を説明するフローチャートである。
【図１１】第２実施形態として説明するスケジュールデータ１１００の一例である。
【図１２】第２実施形態として説明する第１の通信履歴５００の一例である。
【図１３】第２実施形態として説明する携帯電話機１において行われる処理を説明するフローチャートである。
【図１４】第２実施形態として説明するスケジュールデータ１１００の送信処理（Ｓ１３１７）を説明するフローチャートである。
【図１５】第２実施形態として説明するスケジュールデータ１１００の変更処理（Ｓ１３１９）を説明するフローチャートである。
【符号の説明】
【００７１】
１  携帯電話機
１１  中央制御部
１２  ＲＡＭ
１３  ＲＯＭ
３  交換機
４  移動体通信網
５  基地局
１０  第１の通信手段
２０  第２の通信手段
１２１  プロフィールデータ記憶部
１２２  アドレス帳データ記憶部
１２３  第１の通信履歴記憶部
１２４  第２の通信履歴記憶部
１２５  特定条件記憶部
１２６  スケジュールデータ記憶部
３００  プロフィールデータ
４００  アドレス帳データ
５００  第１の通信履歴
５５０  第１の通信履歴
６００  第２の通信履歴
７００  特定条件
１１００  スケジュールデータ
【図１】
2008306626.tif 000003
【図２Ａ】
2008306626.tif 000004
【図２Ｂ】
2008306626.tif 000005
【図３】
2008306626.tif 000006
【図４】
2008306626.tif 000007
【図５】
2008306626.tif 000008
【図６】
2008306626.tif 000009
【図７】
2008306626.tif 000010
【図８】
2008306626.tif 000011
【図９】
2008306626.tif 000012
【図１０】
2008306626.tif 000013
【図１１】
2008306626.tif 000014
【図１２】
2008306626.tif 000015
【図１３】
2008306626.tif 000016
【図１４】
2008306626.tif 000017
【図１５】
2008306626.tif 000018